(57)【要約】【課題】回線交換通信に対応不能な第１方式のシステムのセルの位置に関わらず、セルに在圏する移動局装置を、周囲の回線交換通信に対応可能な第２通信方式のシステムのセルに遷移させる。【解決手段】移動局９は、第１通信方式のシステムのセルで待受中に、第２通信方式のシステムのセルからそのセル情報を取得するセル情報取得部２２、第１通信方式のシステムの基地局４から回線交換通信のためのページング要求を受信するページング要求受信部３０、ページング要求受信時に、セル情報が特定する第２通信方式のシステムのセルを、基地局装置４を経由して第１通信方式のシステムのページング制御ノード装置３へ通知するセル通知部３３、セル情報に基づいて第２通信方式のシステムの基地局装置８との無線接続を確立する接続制御部３７、及び基地局装置８を経由してページング応答を送信するページング応答部３４を備える。【選択図】図２
2014090258.tif 000002
【特許請求の範囲】
【請求項１】
回線交換通信に対応不能な第１通信方式のシステムのセルにおける待受中に、回線交換通信に対応可能な第２通信方式のシステムのセルからそのセル情報を取得するセル情報取得部と、
第１通信方式のシステムの基地局装置から回線交換通信のためのページング要求を受信するページング要求受信部と、
前記ページング要求が受信された場合に、前記セル情報が特定する第２通信方式のシステムのセルを、第１通信方式のシステムの基地局装置を経由して第１通信方式のシステムのページング制御ノード装置へ通知するセル通知部と、
前記セル情報に基づいて第２通信方式のシステムの基地局装置との無線接続を確立する接続制御部と、
第２通信方式のシステムの基地局装置を経由して、前記ページング要求に対する応答を前記ページング制御ノード装置へ送信するページング応答部と、
を備えることを特徴とする移動局装置。
【請求項２】
前記セル通知部は、ランダムアクセスチャネルを経由して第２通信方式のシステムのセルを送信することを特徴とする請求項１に記載の移動局装置。
【請求項３】
第２通信方式のシステムにおける回線交換通信が可能な状態になった後に、第１通信方式のシステムの基地局装置に前記移動局装置の登録を解除させるための信号を、第２通信方式のシステムの基地局装置を経由して第１通信方式のシステムの基地局装置に送信する登録解除要求部を備えることを特徴とする請求項１又は２に記載の移動局装置。
【請求項４】
回線交換通信に対応不能な第１通信方式のシステムのセルを形成する基地局装置であって、
前記セルで待受中の移動局装置を呼び出す回線交換通信のためのページング要求を、第１通信方式のシステムのページング制御ノード装置から受信し、前記移動局装置へ送信するページング要求処理部と、
前記ページング要求に応答して前記移動局装置から送信される、回線交換通信に対応可能な第２通信方式のシステムのセルを特定する応答信号を受信する応答信号受信部と、
前記応答信号が特定する第２通信方式のシステムのセルを前記ページング制御ノード装置に通知するセル通知部と、
を備えることを特徴とする基地局装置。
【請求項５】
前記応答信号受信部が前記応答信号を受信した場合に、前記移動局装置との間の呼処理を停止する呼制御部を備えることを特徴とする請求項４に記載の基地局装置。
【請求項６】
前記基地局装置が形成するセルで待受中の前記移動局装置の登録を記憶する登録記憶部と、
第２通信方式のシステムを経由して前記移動局装置から送信される該移動局装置の登録を解除させるための信号を受信したことに応答して、前記登録記憶部に記憶した前記移動局装置の登録を解除する登録解除部と、
を備えることを特徴とする請求項４又は５に記載の基地局装置。
【請求項７】
回線交換通信に対応不能な第１通信方式のシステムのページング制御ノード装置及び基地局装置と、移動局装置とを備える通信システムであって、
前記基地局装置は、
第１通信方式のシステムのセルで待受中の前記移動局装置を呼び出す回線交換通信のためのページング要求を前記ページング制御ノード装置から受信し、前記移動局装置へ送信するページング要求処理部と、
前記ページング要求に応答して前記移動局装置から送信される、回線交換通信に対応可能な第２通信方式のシステムのセルを特定する応答信号を受信する応答信号受信部と、
前記応答信号が特定する第２通信方式のシステムのセルを前記ページング制御ノード装置に通知するセル通知部と、
を備え、
前記移動局装置は、
第１通信方式のシステムのセルにおける待受中に、第２通信方式のシステムのセルからそのセル情報を取得するセル情報取得部と、
第１通信方式のシステムの基地局装置から回線交換通信のためのページング要求を受信するページング要求受信部と、
前記ページング要求が受信された場合に、前記応答信号を前記基地局装置へ送信する応答信号送信部と、
前記セル情報に基づいて第２通信方式のシステムの基地局装置との無線接続を確立する接続制御部と、
第２通信方式のシステムの基地局装置を経由して、前記ページング要求に対する応答を前記ページング制御ノード装置へ送信するページング応答部と、
を備えることを特徴とする通信システム。
【請求項８】
回線交換通信に対応不能な第１通信方式のシステムのセルで待受中の移動局装置が、回線交換通信に対応可能な第２通信方式のシステムのセルからそのセル情報を取得し、
第１通信方式のシステムの基地局装置から回線交換通信のためのページング要求を前記移動局装置で受信し、
前記ページング要求が受信された場合に、前記セル情報が特定する第２通信方式のシステムのセルを、前記移動局装置から第１通信方式のシステムの基地局装置を経由して第１通信方式のシステムのページング制御ノード装置へ通知し、
前記セル情報に基づいて前記移動局装置と第２通信方式のシステムの基地局装置との無線接続を確立し、
前記移動局装置から第２通信方式のシステムの基地局装置を経由して、前記ページング要求に対する応答を前記ページング制御ノード装置へ送信する、ことを特徴とする通信方法。
【発明の詳細な説明】
【技術分野】
【０００１】
本明細書で論じられる実施態様は、パケット交換(ＰＳ:Packet Switched)ドメインと回線交換(ＣＳ:Circuit Switched)ドメインとの間の移動局装置の接続先セルの切替技術に関する。
【背景技術】
【０００２】
ＰＳ通信に対応しＣＳ通信に対応しない通信システムのセルで待受状態にある移動局装置にＣＳ通信を可能にする技術としてＣＳＦＢ（CS Fall Back）が知られている。ＣＳＦＢは、ＣＳ通信に対応しない通信システムのセルからＣＳ通信に対応する通信システムのセルへ移動局装置を遷移させる。
【０００３】
なお、第１システムの第１無線基地局とLTE(Long Term Evolution)方式で無線通信する第１通信手段と、第２システムの第２無線基地局とCDMA(Code Division Multiple Access)方式で無線通信する第２通信手段を備える移動無線端末装置が知られている。移動無線端末装置は、第１通信手段を通じて、第２システムのシステム情報であるSystem Information Block 8を取得する情報取得手段を備える。移動無線端末装置は、第１通信手段が第１システムからの指示を受信した場合に、システム情報に基づいて第２通信手段を制御して第２無線基地局と通信するシステム遷移手段を備える。
【０００４】
関連技術として、ＮＡＳ(Non Access Stratum)及びＡＳ(Access Stratum)を備えるプロセッサを有するＷＴＲＵ(wireless transmit/receive unit)が知られている。ＮＡＳは、ＩＭＳ(IP(Internet Protocol)Multimedia Subsystem)登録状況に基づいてＣＳフォールバックを実行するかどうかを決定するように構成される。ＮＡＳは、ＷＴＲＵがＣＳドメインにアタッチされるという条件の下にＣＳフォールバックを実行する要求を示すサービス要求を送信するよう構成される。ＡＳは、ＮＡＳからのＣＳサービス要求を受信するように構成される。ＡＳは、ＣＳサービス情報を含むＲＲＣ(Radio Resource Control)メッセージにおいてＣＳサービス要求の表示をＥ−ＵＴＲＡＮ(Evolved UMTS（Universal Mobile Telecommunications Systems)に送信するよう構成される。ＡＳは、ＣＳサービス要求に応答してハンドオーバーコマンドを受信するように構成される。
【先行技術文献】
【特許文献】
【０００５】
【特許文献１】特開２０１０−１７８２０９号公報
【特許文献２】特開２０１１−１６０４６２号公報
【発明の概要】
【発明が解決しようとする課題】
【０００６】
ＣＳＦＢでは、ＣＳ通信に対応しないシステムの基地局装置に、ＣＳ通信に対応するシステムのセル情報が予め設定され、セル情報は移動局装置の遷移先の決定に使用される。しかし、例えばＣＳ通信に対応しないシステムの基地局装置が移動する場合には、設定されたセル情報が実際の基地局装置の位置に適合しない恐れがある。
【０００７】
本明細書に開示される装置又は方法は、ＣＳ通信に対応しないシステムのセルの位置に関わらず、このセルに在圏する移動局装置を周囲のＣＳ通信に対応するシステムのセルに遷移させることを目的とする。
【課題を解決するための手段】
【０００８】
装置の一観点によれば、移動局装置が与えられる。移動局装置は、回線交換通信に対応不能な第１通信方式のシステムのセルにおける待受中に、回線交換通信に対応可能な第２通信方式のシステムのセルからそのセル情報を取得するセル情報取得部と、第１通信方式のシステムの基地局装置から回線交換通信のためのページング要求を受信するページング要求受信部と、ページング要求が受信された場合に、セル情報が特定する第２通信方式のシステムのセルを、第１通信方式のシステムの基地局装置を経由して第１通信方式のシステムのページング制御ノード装置へ通知するセル通知部と、セル情報に基づいて第２通信方式のシステムの基地局装置との無線接続を確立する接続制御部と、第２通信方式のシステムの基地局装置を経由して、ページング要求に対する応答をページング制御ノード装置へ送信するページング応答部を備える。
【０００９】
装置の他の一観点によれば、回線交換通信に対応不能な第１通信方式のシステムのセルを形成する基地局装置が与えられる。基地局装置は、前記セルで待受中の移動局装置を呼び出す回線交換通信のためのページング要求を、第１通信方式のシステムのページング制御ノード装置から受信し、移動局装置へ送信するページング要求処理部と、ページング要求に応答して移動局装置から送信される、回線交換通信に対応可能な第２通信方式のシステムのセルを特定する応答信号を受信する応答信号受信部と、応答信号が特定する第２通信方式のシステムのセルをページング制御ノード装置に通知するセル通知部を備える。
【発明の効果】
【００１０】
本明細書に開示される装置又は方法によれば、ＣＳ通信に対応しないシステムのセルの位置に関わらず、このセルに在圏する移動局装置を周囲のＣＳ通信に対応するシステムのセルに遷移させることが可能になる。
【図面の簡単な説明】
【００１１】
【図１】通信システムの構成例の説明図である。
【図２】移動局装置の一例の機能構成図である。
【図３】移動局が受信するページングメッセージに含まれる情報要素の一例の説明図である。
【図４】第１応答信号に含まれる情報要素の一例の説明図である。
【図５】フェムト基地局装置の一例の機能構成図である。
【図６】ＣＳドメインからのページング発生時の信号シーケンスの第１例の説明図である。
【図７】ＣＳドメインからのページング発生時の信号シーケンスの第２例の説明図である。
【図８】移動局装置の動作の一例の説明図である。
【図９】セル検出処理の一例の説明図である。
【図１０】ページングメッセージ受信処理の一例の説明図である。
【図１１】遷移処理の一例の説明図である。
【図１２】フェムト基地局装置の動作の一例の説明図である。
【図１３】移動局装置のハードウエア構成の一例の機能構成図である。
【図１４】フェムト基地局装置のハードウエア構成の一例の機能構成図である。
【発明を実施するための形態】
【００１２】
以下、添付する図面を参照して好ましい実施例について説明する。図１は、通信システムの構成例の説明図である。通信システム１では、ＰＳ通信に対応しＣＳ通信に対応しない第１通信方式のシステムと、ＣＳ通信に対応する第２通信方式のシステムとが混在している。
【００１３】
以下の説明では、第１通信方式はＬＴＥであり第２通信方式がＷＣＤＭＡ(Wideband Code Division Multiple Access)である場合の例示を使用する。但しこの例示は、本明細書に記載される通信システムが、ＬＴＥ及びＷＣＤＭＡに準拠する通信システムのみに限定して適用されることを意図するものではない。本明細書に記載される通信システムは、ＰＳ通信に対応しＣＳ通信に対応しないシステムと、ＣＳ通信に対応するシステムで使用される基地局に広く適用可能である。
【００１４】
ＬＴＥ方式のシステムは、ＭＭＥ(Mobility Management Entity)３と、フェムト基地局装置４を備える。ＭＭＥ３は、コアネットワーク２に接続され、移動局装置９のアクセス制御、移動局装置９に対するページング処理の制御、ユーザ認証等を行う。ＭＭＥ３は、ページング制御ノード装置の一例である。フェムト基地局装置４は、フェムトセルと呼ばれる比較的小規模の無線通信圏を形成し、移動局装置９はフェムトセル内に位置する間にＬＴＥ方式のシステムにおけるＰＳ通信を行うことができる。フェムト基地局装置４は、有線ネットワークによりＭＭＥ３に接続されている。
【００１５】
ＷＣＤＭＡ方式のシステムは、ＳＧＳＮ(Serving GPRS(General Packet Radio Service) Support Node)５と、ＭＳＣ(Mobile-services Switching Centre)６と、ＲＮＣ(Radio Network. Controller)７と、基地局装置８を備える。ＳＧＳＮ５は、移動局装置９の位置管理、セキュリティ管理及びアクセス制御等を行う。ＭＳＣ６は、通話路やデータ通信路の設定、開放、交換及び移動管理を行う。ＲＮＣ７は、基地局装置８が形成する無線通信圏における無線回線接続処理、無全回線切断処理、位置登録、一斉呼出し、ハンドオーバなどの移動管理などの制御を行う。ＳＧＳＮ５及びＭＳＣ６は、有線ネットワークによりＭＭＥ３とＲＮＣ７とに接続されている。
【００１６】
基地局装置８は、無線通信圏を形成し、移動局装置９はこの無線通信圏内位置する間にＷＣＤＭＡ方式のシステムにおけるＰＳ通信を行うことができる。本実施例において基地局装置８が形成する無線通信圏は、フェムトセルよりも大きなマクロセルであってよい。なお、以下の説明及び添付図面において、フェムト基地局装置、基地局装置及び移動局装置をそれぞれ「フェムト基地局」、「基地局」及び「移動局」と表記することがある。また、基地局８が形成するセルを「マクロセル」と表記し、フェムト基地局４が形成するセルを「フェムトセル」と表記することがある。
【００１７】
図２は、移動局９の一例の機能構成図である。移動局９は、無線通信部２０と、セル検出部２１と、報知情報取得部２２と、リスト格納部２３と、ページング処理部２４と、呼制御部２５を備える。報知情報取得部２２は、セル情報取得部の一例である。リスト格納部２３は、セル情報格納部の一例である。なお、図２の機能構成図は、本明細書において説明される移動局９の機能に関係する構成を中心に示している。移動局９は、図示の構成要素以外の他の構成要素を含んでいてよい。
【００１８】
無線通信部２０は、フェムト基地局４と移動局９との間及び基地局８と移動局９との間で送受信される制御信号及びユーザトラヒックの無線信号の送受信処理、符号化処理、復号化処理、変調処理及び復調処理を行う。セル検出部２１は、基地局８から送信された同期コードを受信し、基地局８が形成するマクロセルを検出する。
【００１９】
報知情報取得部２２は、セル検出部２１により検出されたマクロセルから送信された報知情報を受信する。報知情報取得部２２は、報知情報に含まれるＰＬＭＮ(public land mobile network)識別子を取得する。
【００２０】
報知情報取得部２２は、ＰＬＭＮ識別子に基づいてマクロセルを形成する移動体通信ネットワークを判別し、移動局９がマクロセルでＣＳ通信可能であるか否かを判断する。移動局９がマクロセルでＣＳ通信可能である場合に、報知情報取得部２２は、受信した報知情報から取得したマクロセルのセルＩＤ、タイミング情報、アクセス時に使用する共通チャネルのパラメータ等の情報をＣＳ通信可能セルリストに登録する。
【００２１】
移動局９がマクロセルでＣＳ通信を実施できない場合に、報知情報取得部２２は、ＣＳ通信不可セルリストにマクロセルを登録する。ＣＳ通信可能セルリスト及びＣＳ通信不可セルリストは、リスト格納部２３に格納される。
【００２２】
ページング処理部２４は、移動局９に対するページング発生時にページングに対する応答のための処理を行う。ページング処理部２４は、ページングメッセージ処理部３０と、種別判定部３１と、通信可能セル判定部３２と、第１応答信号処理部３３と、ページング応答処理部３４を備える。ページングメッセージ処理部３０は、ページング要求受信部の一例である。通信可能セル判定部３２は、判定部の一例である。第１応答信号処理部３３は、セル通知部及び応答信号送信部の一例である。ページング応答処理部３４は、ページング応答部の一例である。
【００２３】
ページングメッセージ処理部３０は、フェムト基地局４から送信されたページングメッセージを受信して呼び出し先が移動局９であるか否かを判断する。図３は、移動局９が受信するページングメッセージに含まれる情報要素の一例の説明図である。例えばページングメッセージは、3GPP(3rd Generation Partnership Project) TS(Technical Specification)36.331にて定められる"Paging"メッセージであってよい。
【００２４】
情報要素「PagingUE-Identity」は呼び出し先の移動局を指定する。情報要素「cn-Domain」は値「CS」及び「PS」のいずれかを持ち、移動局９を呼び出すドメインの種別がＣＳ及びＰＳの何れであるかを指定する。ページングメッセージ処理部３０は、情報要素「PagingUE-Identity」と移動局９の識別子とが一致するか否かに応じて、呼び出し先が自局であるか否かを判断する。
【００２５】
図２を参照する。種別判定部３１は、移動局９が受信したページングメッセージに基づいて移動局９を呼び出すドメインの種別が、ＣＳ及びＰＳの何れであるかを判定する。例えば、種別判定部３１は、情報要素「cn-Domain」に基づいて移動局９を呼び出すドメインの種別を判別する。
【００２６】
通信可能セル判定部３２は、移動局９がフェムトセルに在圏している間にＣＳドメインからの呼び出しのページングメッセージを受信した場合、ＣＳ通信可能セルリストを参照する。ＣＳ通信可能セルリストにセルが登録されている場合には、通信可能セル判定部３２は移動局９がＣＳ通信可能であると判断する。ＣＳ通信可能セルリストにセルが登録されていない場合には、通信可能セル判定部３２は移動局９がＣＳ通信可能であると判断する。
【００２７】
第１応答信号処理部３３は、ページングメッセージに対する第１応答信号を生成する。第１応答信号は、ＣＳドメインにおいてページングに対して応答できるか否かを通知する情報要素を含む。図４は、第１応答信号に含まれる情報要素の一例の説明図である。第１応答信号の一例は、3GPP TS36.331にて定められる"RRCConnectionRequest"メッセージであってよい。"RRCConnectionRequest"メッセージは、ランダムアクセスチャネル(RACH:Random Access Channel)で送信される。
【００２８】
ページングへの応答可否は、"RRCConnectionRequest"メッセージに含まれる既存の情報要素の値の範囲を拡張して新たに定義された値で指定してもよい。"RRCConnectionRequest"メッセージに新たな情報要素を加えてページングへの応答可否を指定してもよい。図４の例では、既存の情報要素"establishmentCause"が取り得る値として、"mt-CS-call response"及び"mt-CS-call Not available"を新たに加える。値"mt-CS-call response"は、移動局９がＣＳドメインにおいてページングに対して応答できることを示す。"mt-CS-call Not available"はページングに対して応答できないことを示す。
【００２９】
"RRCConnectionRequest"メッセージに新たな情報要素を加えてもよい。図４の例では、遷移先のマクロセルのセルＩＤである"Target Cell ID"を指定する情報要素"CS NodeB information"が加えられている。第１応答信号処理部３３は、第１応答信号をフェムト基地局４へ送信する。
【００３０】
図２を参照する。呼制御部２５は、ＰＳ呼制御のための処理とＣＳ呼制御のための処理を行う。呼制御部２５は、第２応答信号処理部３５と、ＰＳ呼制御部３６と、ＣＳ呼制御部３７と、通信状態指示信号処理部３８を備える。ＣＳ呼制御部３７は接続制御部の一例である。通信状態指示信号処理部３８は、登録解除要求部の一例である。
【００３１】
第２応答信号処理部３５は、フェムト基地局４から第２応答信号を受信する。フェムト基地局４は、移動局９がＣＳドメインにおいてページングに対して応答できることを示す第１応答信号を受信した場合に、第１応答信号に対する応答信号として第２応答信号を送信した後、移動局９との間のＰＳ呼の処理を一時停止する。
【００３２】
例えば、第２応答信号は、移動局９とフェムト基地局４との間のRRC(radio resource control)接続を、移動局９に終了させるための指示を含んでいてよい。例えば、第２応答信号は、3GPP TS36.331にて定められる"RRCConnectionRelease"メッセージであってよい。
【００３３】
第２応答信号が受信されたとき、ＰＳ呼制御部３６及びＣＳ呼制御部３７は、移動局９の呼をＰＳドメインからＣＳドメインへ遷移させる。すなわち、移動局９の接続先をフェムトセルからマクロセルに遷移させる。
【００３４】
ＰＳドメインからＣＳドメインへの遷移処理において、ＰＳ呼制御部３６及びＣＳ呼制御部３７は、移動局９が利用するＲＡＴ(radio access technology)をＰＳドメインのＲＡＴからＣＳドメインのＲＡＴへ切り替える。ＰＳ呼制御部３６はＬＴＥ無線アクセスベアラを開放する。ＣＳ呼制御部３７は、ＣＳ通信可能セルリストに格納した報知情報に従い遷移先のＣＳドメインとの通信のため通信パラメータの設定を行う。設定される通信パラメータには、例えば、タイミング情報、アクセス時に使用する共通チャネルのパラメータ情報が含まれる。
【００３５】
ＣＳ呼制御部３７は、基地局８を経由するＷＣＤＭＡ無線アクセスベアラを確立し基地局８との間でＲＲＣ接続処理を行う。ＲＲＣ接続処理は、例えば3GPP TS25.311にて定められる"Cell Update"手順であってよい。ＲＲＣ接続後に、ページング処理部２４のページング応答処理部３４は、ＣＳドメインからの呼び出しのページングメッセージに対するページング応答をマクロセルの基地局８へ送信する。ＣＳ呼制御部３７は、ＣＳベアラの設定を行う。
【００３６】
ＣＳベアラが確立した後、通信状態指示信号処理部３８は、移動局９がＣＳドメインで通話可能な状態であることを示す通信状態指示信号を、マクロセルをカバーする基地局８へ送信する。通信状態指示信号は、フェムト基地局４の識別子又はアドレス情報を通信状態指示信号の送信先情報として含む。基地局８は、受信した通信状態指示信号を、送信先情報により指定されたフェムト基地局４へ有線ネットワークを経由して転送する。
【００３７】
フェムト基地局４は、通信状態指示信号の受信に応答して移動局９との間のＰＳ呼の処理の一時停止状態を解放して移動局９のデタッチ処理を行うことにより、フェムトセルにおける移動局９の位置登録情報を削除する。通信状態指示信号は、フェムト基地局４に移動局９のデタッチ処理を行わせるために使用される。
【００３８】
図５は、フェムト基地局４の一例の機能構成図である。フェムト基地局４は、無線通信部５０と、ネットワーク通信部５１と、ページング処理部５２と、呼制御部５３を備える。なお、図５の機能構成図は、本明細書において説明されるフェムト基地局４の機能に関係する構成を中心に示している。フェムト基地局４は、図示の構成要素以外の他の構成要素を含んでいてよい。
【００３９】
無線通信部５０は、フェムト基地局４と移動局９との間で送受信される制御信号及びユーザトラヒックの無線信号の送受信処理、符号化処理、復号化処理、変調処理及び復調処理を行う。ネットワーク通信部５１は、ＭＭＥ３とフェムト基地局４とを接続する有線ネットワークを経由を経由する信号送受信処理を行う。
【００４０】
ページング処理部５２は、移動局９に対するページング処理を行う。ページング処理部５２は、ページングメッセージ処理部６０と、第１応答信号処理部６１を備える。ページングメッセージ処理部６０は、ページング要求処理部の一例である。第１応答信号処理部６１は、応答信号受信部の一例である。
【００４１】
ページングメッセージ処理部６０は、ＭＭＥ３からページングメッセージを受信すると、周期的且つ間欠的にページングメッセージを移動局９に送信する。第１応答信号処理部６１は、移動局９から第１応答信号を受信する。
【００４２】
呼制御部５３は、移動局９との間のＰＳ呼制御のための処理を行う。呼制御部５３は、ＰＳ呼制御部６２と、第２応答信号処理部６３と、通信状態指示信号処理部６４と、登録記憶部６５を備える。通信状態指示信号処理部６４は、登録解除部の一例である。
【００４３】
ＰＳ呼制御部６２は、受信された第１応答信号に応じて、移動局９がページングへの応答が可能であるか否かを判断する。移動局９がページングへの応答が可能である場合に、第２応答信号処理部６３は、第２応答信号を移動局９へ送信する。移動局９がページングへの応答が可能である場合に、ページングメッセージ処理部６０は、第１応答信号をＭＭＥ３へ転送する。フェムト基地局４は、第１応答信号を送信することによって、第１応答信号の情報要素"Target Cell ID"で指定されたマクロセルで移動局９がページング応答を送信することをＭＭＥ３に通知してもよい。また、移動局９がページングへの応答が可能である場合に、ＰＳ呼制御部６２は、移動局９との間のＰＳ呼の処理を一時停止する。
【００４４】
移動局９がページングへ応答できない場合に、ページングメッセージ処理部６０は、移動局９がＣＳドメインサービスの圏外であることをＭＭＥ３に通知する。例えばページングメッセージ処理部６０は、移動局９がページングへ応答できない旨を知らせる第１応答信号をＭＭＥ３に送信してもよい。
【００４５】
通信状態指示信号処理部６４は、第２応答信号に応答して移動局９からマクロセルで基地局８へ送信され、基地局８と有線ネットワークを経由して転送される通信状態指示信号を受信する。通信状態指示信号処理部６４は、通信状態指示信号を受信した場合に移動局９との間のＰＳ呼の処理の一時停止状態を解放して移動局９のデタッチ処理を行い、登録記憶部６５に記憶された移動局９の位置登録情報を削除する。
【００４６】
図６及び図７は、ＣＳドメインからのページング発生時の信号シーケンスの第１例及び第２例の説明図である。図６は、移動局９がＣＳドメインにて着信可能である場合の信号シーケンスを示し、図７は、移動局９がＣＳドメインにて着信可能でない場合の信号シーケンスを示す。
【００４７】
いま、移動局９はＰＳドメインにおいて待受状態(idle state)にある。オペレーションＡＡにおいてセル検出部２１は、基地局８から送信された同期コードを受信し、基地局８が形成するマクロセルを検出する。オペレーションＡＢにおいて報知情報取得部２２は、セル検出部２１により検出されたマクロセルから送信された報知情報を受信する。報知情報取得部２２は、移動局９がマクロセルでＣＳ通信可能である場合に、報知情報から取得したマクロセルのセルＩＤ、タイミング情報、共通チャネルのパラメータ情報をＣＳ通信可能セルリストに登録する。
【００４８】
オペレーションＡＣにおいてＭＭＥ３は、ＣＳドメインから移動局９を呼び出すページングメッセージをコアネットワーク２から受信する。オペレーションＡＤにおいてＭＭＥ３は、ページングメッセージをフェムト基地局４へ送信する。オペレーションＡＥにおいてフェムト基地局４のページングメッセージ処理部６０は、ページングメッセージを移動局９に送信する。
【００４９】
オペレーションＡＦにおいて移動局９の通信可能セル判定部３２は、移動局９がＣＳドメインにて着信可能であるか、すなわちＣＳドメインにおける通信が可能であるか否かを判断する。ＣＳドメインにおける着信が可能である場合に、オペレーションＡＧにおいて第１応答信号処理部３３は、ＣＳドメインにおいてページングに対して応答できることを示す第１応答信号をフェムト基地局４へ送信する。第１応答信号は、フェムトセルからマクロセルに遷移する移動局９がどのマクロセルからページング応答を送信するかを指定する情報要素"Target Cell ID"を含んでいてよい。フェムト基地局４の第１応答信号処理部６１は、第１応答信号を受信する。
【００５０】
オペレーションＡＨにおいてページングメッセージ処理部６０は、第１応答信号をＭＭＥ３へ転送する。オペレーションＡＩにおいてＭＭＥ３は、第１応答信号にて指定されたマクロセルを、オペレーションＡＣで受信したページングメッセージに対応付けて記憶する。
【００５１】
オペレーションＡＪにおいてフェムト基地局４の第２応答信号処理部６３は、第２応答信号を移動局９へ送信する。オペレーションＡＫにおいてＰＳ呼制御部６２は、移動局９との間のＰＳ呼の処理を一時停止する。
【００５２】
オペレーションＡＬにおいて移動局９のＰＳ呼制御部３６及びＣＳ呼制御部３７は、移動局９が利用するＲＡＴをＰＳドメインのＲＡＴからＣＳドメインのＲＡＴへ切り替える。オペレーションＡＭにおいてＣＳ呼制御部３７は、基地局８との間でＷＣＤＭＡ無線アクセスベアラを確立し、基地局８との間でＲＲＣ接続処理を行う。
【００５３】
オペレーションＡＮにおいてページング応答処理部３４は、ＣＳドメインからの呼び出しのページングメッセージに対するページング応答をマクロセルの基地局８へ送信する。オペレーションＡＯにおいて基地局８はページング応答をＭＭＥ３に送信する。
【００５４】
オペレーションＡＰにおいてＭＭＥ３は、オペレーションＡＩで記憶したマクロセルの情報に基づいて、オペレーションＡＯで受信したページング応答がオペレーションＡＣで受信したページングメッセージに対する応答であると識別する。ＭＭＥ３は、オペレーションＡＣで受信したページングメッセージに対する応答として、ページング応答をコアネットワーク２へ送信する。
【００５５】
その後にＣＳベアラが確立すると、オペレーションＡＱにおいて移動局９の通信状態指示信号処理部３８は、通信状態指示信号を基地局８へ送信する。通信状態指示信号は、フェムト基地局４を指定する送信先情報を含む。オペレーションＡＲにおいて基地局８は、送信先情報により指定されたフェムト基地局４へ有線ネットワークを経由して通信状態指示信号を転送する。フェムト基地局４は、通信状態指示信号の受信に応答して移動局９との間のＰＳ呼の処理の一時停止状態を解放して移動局９のデタッチ処理を行う。
【００５６】
図７は、ＣＳドメインからのページング発生時の信号シーケンスの第２例の説明図である。いま、移動局９がＰＳドメインにおいて待受状態(idle state)にある。オペレーションＢＡにおいてＭＭＥ３は、ＣＳドメインから移動局９を呼び出すページングメッセージをコアネットワーク２から受信する。オペレーションＢＢにおいてＭＭＥ３は、ページングメッセージをフェムト基地局４へ送信する。オペレーションＢＣにおいてフェムト基地局４のページングメッセージ処理部６０は、ページングメッセージを移動局９に送信する。
【００５７】
オペレーションＢＤにおいて移動局９の通信可能セル判定部３２は、移動局９がＣＳドメインにて着信可能であるか否かを判断する。ＣＳドメインにおいて着信できない場合に、オペレーションＢＥにおいて第１応答信号処理部３３は、ＣＳドメインにおいてページングに対して応答できないことを示す第１応答信号をフェムト基地局４へ送信する。
【００５８】
オペレーションＢＦにおいてフェムト基地局４のページングメッセージ処理部６０は、第１応答信号をＭＭＥ３へ送信することにより移動局９がＣＳドメインサービスの圏外であることをＭＭＥ３に通知する。オペレーションＢＧにおいてＭＭＥ３は、第１応答信号をコアネットワーク２へ送信することにより、移動局９がＣＳドメインサービスの圏外であることをコアネットワーク２に通知する。
【００５９】
続いて、移動局９及びフェムト基地局４それぞれの動作について説明する。図８は、移動局９の動作の一例の説明図である。オペレーションＣＡにおいてページングメッセージ処理部３０は、ページングメッセージの受信監視を行うタイミングを設定する。
【００６０】
オペレーションＣＢにおいてページングメッセージ処理部３０は、現時点が受信監視タイミングであるか否かを判断する。現時点が受信監視タイミングである場合（オペレーションＣＢ：Ｙ）に動作はオペレーションＣＤへ進む。現時点が受信監視タイミングでない場合（オペレーションＣＢ：Ｎ）に動作はオペレーションＣＣへ進む。
【００６１】
オペレーションＣＣにおいてセル検出部２１及び報知情報取得部２２は、移動局９がＣＳ通信を実施できるマクロセルを検出するためのセル検出処理を行う。図９は、セル検出処理の一例の説明図である。
【００６２】
オペレーションＤＡにおいてセル検出部２１は、１回のセル検出処理の期間長が設定された検出タイマを起動させる。オペレーションＤＢにおいてセル検出部２１は、マクロセルを検出したか否かを判断する。マクロセルが検出された場合（オペレーションＤＢ：Ｙ）に動作はオペレーションＤＣに進む。マクロセルが検出されない場合（オペレーションＤＢ：Ｎ）に動作はオペレーションＤＧに進む。
【００６３】
オペレーションＤＣにおいて報知情報取得部２２は、検出されたマクロセルの報知情報を受信する。オペレーションＤＤにおいて報知情報取得部２２は、移動局９がマクロセルでＣＳ通信可能であるか否かを判断する。ＣＳ通信可能である場合（オペレーションＤＤ：Ｙ）に動作はオペレーションＤＥへ進む。ＣＳ通信が実施できない場合（オペレーションＤＤ：Ｎ）に動作はオペレーションＤＦへ進む。
【００６４】
オペレーションＤＥにおいて報知情報取得部２２は、報知情報から取得したマクロセルのセルＩＤ、タイミング情報、アクセス時に使用する共通チャネルのパラメータ等の情報をＣＳ通信可能セルリストに登録する。その後に動作はオペレーションＤＧへ進む。オペレーションＤＦにおいて報知情報取得部２２は、ＣＳ通信不可セルリストにマクロセルを登録する。その後に動作はオペレーションＤＧへ進む。
【００６５】
オペレーションＤＧにおいてセル検出部２１は、検出タイマに設定した期間が経過しセル検出処理がタイムアウトになるか否かを判断する。セル検出処理がタイムアウトになる場合（オペレーションＤＧ：Ｙ）にセル検出処理は終了する。セル検出処理がタイムアウトにならない場合（オペレーションＤＧ：Ｎ）に動作はオペレーションＤＢへ戻る。
【００６６】
図８を参照する。オペレーションＣＣの後に動作はオペレーションＣＢへ戻る。一方で、オペレーションＣＤにおいてページング処理部２４は、ページングメッセージを受信するためのページングメッセージ受信処理を行う。図１０は、ページングメッセージ受信処理の一例の説明図である。
【００６７】
オペレーションＥＡにおいてページングメッセージ処理部３０は、ページングメッセージをフェムト基地局４から受信する。オペレーションＥＢにおいてページングメッセージ処理部３０は、ページングメッセージの呼び出し先が自局であるか否かを判断する。呼び出し先が自局である場合（オペレーションＥＢ：Ｙ）に動作はオペレーションＥＣへ進む。呼び出し先が自局でない場合（オペレーションＥＢ：Ｎ）にページングメッセージ受信処理は終了する。
【００６８】
オペレーションＥＣにおいて種別判定部３１は、ページングメッセージに基づいて移動局９を呼び出すドメインの種別が、ＣＳ及びＰＳの何れであるかを判定する。ドメインの種別がＣＳである場合（オペレーションＥＣ：Ｙ）に動作はオペレーションＥＤへ進む。ドメインの種別がＣＳでない場合（オペレーションＥＣ：Ｎ）に動作はオペレーションＥＨへ進む。
【００６９】
オペレーションＥＤにおいて通信可能セル判定部３２は、ＣＳ通信可能セルリストを参照する。オペレーションＥＥにおいて通信可能セル判定部３２は、移動局９がＣＳ通信可能なマクロセルがＣＳ通信可能セルリストにあるか否かを判断する。移動局９がＣＳ通信可能なマクロセルがある場合（オペレーションＥＥ：Ｙ）に動作はオペレーションＥＦへ進む。移動局９がＣＳ通信可能なマクロセルがない場合（オペレーションＥＥ：Ｎ）に動作はオペレーションＥＧへ進む。
【００７０】
オペレーションＥＦにおいて第１応答信号処理部３３は、ＣＳドメインにおいてページングに対して応答できることを示す第１応答信号を生成する。その後にページングメッセージ受信処理は終了する。オペレーションＥＧにおいて第１応答信号処理部３３は、ＣＳドメインにおいてページングに対して応答できないことを示す第１応答信号を生成する。その後にページングメッセージ受信処理は終了する。
【００７１】
オペレーションＥＨにおいてページング処理部２４は、ＰＳドメインにおけるページングに対する応答処理を行う。その後にページングメッセージ受信処理は終了する。
【００７２】
図８を参照する。オペレーションＣＥにおいて第１応答信号処理部３３は、第１応答信号をフェムト基地局４へ送信する。オペレーションＣＦにおいて第２応答信号処理部３５は、フェムト基地局４から第２応答信号を受信したか否かを判断する。第２応答信号が受信された場合（オペレーションＣＦ：Ｙ）に動作はオペレーションＣＧへ進む。第２応答信号が受信されない場合（オペレーションＣＦ：Ｎ）に動作はオペレーションＣＬへ進む。
【００７３】
オペレーションＣＧにおいて呼制御部２５は、移動局９の呼をＰＳドメインからＣＳドメインへ遷移させるための遷移処理を行う。図１１は、遷移処理の一例の説明図である。
【００７４】
オペレーションＦＡにおいてＰＳ呼制御部３６はＬＴＥ無線アクセスベアラを開放する。オペレーションＦＢにおいてＣＳ呼制御部３７は、ＣＳ通信可能セルリストに格納した報知情報に従い遷移先のマクロセルとの通信のための通信パラメータの設定を行う。ＣＳ呼制御部３７は、ＷＣＤＭＡ無線アクセスベアラを確立する。
【００７５】
オペレーションＦＣにおいてＣＳ呼制御部３７は、基地局８との間のＲＲＣ接続を要求する接続要求メッセージを基地局８へ送信する。接続要求メッセージは、例えば3GPP TS25.311にて定められる"CELL UPDATE message"であってよい。
【００７６】
オペレーションＦＤにおいてＣＳ呼制御部３７は、接続要求メッセージに対する応答を基地局８から受信したか否かを判断する。この応答は、例えば3GPP TS25.311にて定められる"CELL CONFIRM message"であってよい。応答が受信された場合（オペレーションＦＤ：Ｙ）に動作はオペレーションＦＥへ進む。応答が受信されない場合（オペレーションＦＤ：Ｎ）に動作はオペレーションＦＦへ進む。
【００７７】
オペレーションＦＥにおいてＣＳ呼制御部３７は、ＰＳドメインからＣＳドメインへの遷移が成功したと判断する。その後に遷移処理は終了する。オペレーションＦＦにおいてＣＳ呼制御部３７は、遷移が失敗したと判断する。その後に遷移処理は終了する。
【００７８】
図８を参照する。ＰＳドメインからＣＳドメインへの遷移が成功した場合（オペレーションＣＨ：Ｙ）に動作はオペレーションＣＩへ進む。ＰＳドメインからＣＳドメインへの遷移が失敗した場合（オペレーションＣＨ：Ｎ）に動作はオペレーションＣＭへ進む。
【００７９】
オペレーションＣＩにおいてページング応答処理部３４は、ＣＳドメインからの呼び出しのページングメッセージに対するページング応答をマクロセルの基地局８へ送信する。オペレーションＣＪにおいてＣＳ呼制御部３７は、ＣＳベアラの設定を行う。
【００８０】
オペレーションＣＫにおいて通信状態指示信号処理部６４は、ＰＳ呼を開放する。ＰＳ呼を開放する処理において通信状態指示信号処理部６４は、基地局８及び有線ネットワークを経由して通信状態指示信号をフェムト基地局４へ送信し、フェムト基地局４に移動局９のデタッチ処理を実施させる。その後に動作は終了する。
【００８１】
オペレーションＣＦで第２応答信号が受信されない場合（オペレーションＣＦ：Ｎ）には、オペレーションＣＬにおいてページング処理部２４は、移動局９の状態をページング応答状態から通常状態に復帰させる。その後に動作はオペレーションＣＢに戻る。
【００８２】
オペレーションＣＨでＣＳドメインへの遷移に失敗した場合（オペレーションＣＨ：Ｎ）には、オペレーションＣＭにおいてＰＳ呼制御部３６は、移動局９の状態をＬＴＥセルでの待受状態に復帰させる。その後に動作はオペレーションＣＢに戻る。
【００８３】
図１２は、フェムト基地局４の動作の一例の説明図である。オペレーションＧＡにおいてページングメッセージ処理部６０は、ＭＭＥ３からページングメッセージを受信したか否かを判断する。ページングメッセージが受信された場合（オペレーションＧＡ：Ｙ）に動作はオペレーションＧＢへ進む。ページングメッセージが受信されない場合（オペレーションＧＡ：Ｎ）に動作はオペレーションＧＡへ戻る。オペレーションＧＢにおいてページングメッセージ処理部６０は、ページングメッセージを移動局９に送信する。
【００８４】
オペレーションＧＣにおいて第１応答信号処理部６１は、移動局９から第１応答信号を受信したか否かを判断する。第１応答信号が受信された場合（オペレーションＧＣ：Ｙ）に動作はオペレーションＧＥへ進む。第１応答信号が受信されない場合（オペレーションＧＣ：Ｎ）に動作はオペレーションＧＤへ進む。
【００８５】
オペレーションＧＤにおいて第１応答信号処理部６１は、受信処理がタイムアウトしたか否かを判断する。受信処理がタイムアウトした場合（オペレーションＧＤ：Ｙ）に動作はオペレーションＧＡに戻る。受信処理がタイムアウトしない場合（オペレーションＧＤ：Ｎ）に動作はオペレーションＧＣに戻る。
【００８６】
オペレーションＧＥにおいてＰＳ呼制御部６２は、受信された第１応答信号に応じて、移動局９がページングへの応答が可能であるか否かを判断する。応答可能である場合（オペレーションＧＥ：Ｙ）に動作はオペレーションＧＦへ進む。応答可能でない場合（オペレーションＧＥ：Ｎ）に動作はオペレーションＧＫへ進む。
【００８７】
オペレーションＧＦにおいてページングメッセージ処理部６０は、第１応答信号をＭＭＥ３へ転送する。第２応答信号処理部６３は、第２応答信号を移動局９へ送信する。オペレーションＧＧにおいてＰＳ呼制御部６２は、移動局９との間のＰＳ呼の処理を一時停止する。オペレーションＧＨにおいてＰＳ呼制御部６２は、ＰＳベアラを開放する。
【００８８】
オペレーションＧＩにおいて通信状態指示信号処理部６４は、通信状態指示信号が受信されたか否かを判断する。通信状態指示信号が受信された場合（オペレーションＧＩ：Ｙ）に動作はオペレーションＧＪへ進む。通信状態指示信号が受信されない場合（オペレーションＧＩ：Ｎ）に動作はオペレーションＧＩへ戻る。オペレーションＧＪにおいて通信状態指示信号処理部６４は、ＰＳ呼の処理の一時停止状態を解放して移動局９のデタッチ処理を行う。その後に処理が終了する。
【００８９】
オペレーションＧＥで移動局９がページングへの応答が可能でない場合（オペレーションＧＥ：Ｎ）に、オペレーションＧＫにおいてページングメッセージ処理部６０は、移動局９がＣＳドメインサービスの圏外であることをＭＭＥ３に通知する。その後に動作はオペレーションＧＡに戻る。
【００９０】
図１３は、移動局９のハードウエア構成の一例の機能構成図である。移動局９は、ＣＰＵ８０と、メモリ８１と、ＬＳＩ８２と、無線送受信回路８３と、アンテナ８４を備える。メモリ８１は、コンピュータプログラムやデータを記憶するための、不揮発性メモリや、読み出し専用メモリやランダムアクセスメモリ、ハードディスク等を含んでいてよい。無線送受信回路８３は、無線周波数信号やベースバンド信号を処理するためのデジタル・アナログ変換回路や、アナログ・デジタル変換回路、増幅回路、周波数変換回路などを含んでいてよい。
【００９１】
図２の移動局９の無線通信部２０の上記動作は、無線送受信回路８３により実現される。セル検出部２１、報知情報取得部２２、ページング処理部２４、呼制御部２５の上記動作は、ＣＰＵ８０とＬＳＩ８２が協働することにより実行される。リスト格納部２３の記憶領域は、メモリ８１内に用意される。
【００９２】
図１４は、フェムト基地局４のハードウエア構成の一例の機能構成図である。ＣＰＵ９０と、メモリ９１と、ＬＳＩ９２と、無線送受信回路９３と、アンテナ９４と、ネットワークインタフェース（NIF: Network InterFace）回路９５を備える。メモリ９１は、コンピュータプログラムやデータを記憶するための、不揮発性メモリや、読み出し専用メモリやランダムアクセスメモリ、ハードディスク等を含んでいてよい。無線送受信回路９３は、無線周波数信号やベースバンド信号を処理するためのデジタル・アナログ変換回路や、アナログ・デジタル変換回路、増幅回路、周波数変換回路などを含んでいてよい。
【００９３】
図５のフェムト基地局４の無線通信部５０の上記動作は、無線送受信回路９３により実現される。ページング処理部５２及び呼制御部５３の上記動作は、ＣＰＵ９０とＬＳＩ９２が協働することにより実行される。ネットワーク通信部５１の上記動作は、ＮＩＦ回路９５によって実現される。
【００９４】
なお、図１３及び図１４に示すハードウエア構成は実施例の説明のための例示にすぎない。上述の動作を実行するものであれば、本明細書に記載される移動局９及びフェムト基地局４は他のどのようなハードウエア構成を採用してもよい。また、図６〜図１２を参照して説明する一連の動作は複数の手順を含む方法と解釈してもよい。この場合に「オペレーション」を「ステップ」と読み替えてもよい。
【００９５】
本実施例によれば、ＣＳ通信に対応しない第１通信方式のセルに在圏している移動局は、ＣＳ通信に対応する第２通信方式のセルを検出し、セル情報を収集する。第１通信方式のセルに在圏する移動局をＣＳドメインから呼び出すページングが発生した場合に、移動局は、移動局が収集した第２通信方式のセルのセル情報に基づいてセル切替を行う。
【００９６】
このため、第１通信方式のセルの基地局が、予め第２通信方式のセルのセル情報を持たなくても、移動局を第１通信方式のセルから第２通信方式のセルに遷移させることができる。したがって、例えば、移動可能な第１通信方式の基地局に第２通信方式のセル情報を持たせる設定処理が煩雑であっても、適切な第２通信方式のセルに移動局を遷移させることが可能になる。
【００９７】
また、移動局は、ＣＳドメインにおいてページングに対して応答できることを、ページングメッセージに対する第１応答信号によってランダムアクセスチャネルで第１通信方式の基地局へ通知する。このため、移動局と第１通信方式の基地局とは、新たにＲＲＣセッションを確立しなくても、第２通信方式のセルへの遷移の契機を第１通信方式の基地局に通知することができる。この結果、ＲＲＣセッションの確立に使用する時間を経ずに遷移処理を開始することができるため、第２通信方式のセルへの遷移をより早く完了できる。
【００９８】
また、移動局が自立して第２通信方式のセルへ遷移する場合には、移動局は、遷移完了及びこれに伴うデタッチ処理の時期が到来したことを、遷移元の基地局に通知する機会がない。ネットワーク側の機器で遷移完了を通知しようとすると、例えば、遷移元の基地局が移動可能である場合には、ネットワーク側で移動局の遷移を管理することが煩雑になる。
【００９９】
本実施例によれば、移動局は、第２通信方式のセルへの遷移後に、第２通信方式の基地局と有線ネットワークを介して第１通信方式の基地局にデタッチ処理を要求する。このため、ネットワーク側における移動局の遷移の管理しなくとも、遷移元の基地局への通知が可能になる。
【０１００】
以上の実施例を含む実施形態に関し、更に以下の付記を開示する。
（付記１）
回線交換通信に対応不能な第１通信方式のシステムのセルにおける待受中に、回線交換通信に対応可能な第２通信方式のシステムのセルからそのセル情報を取得するセル情報取得部と、
第１通信方式のシステムの基地局装置から回線交換通信のためのページング要求を受信するページング要求受信部と、
前記ページング要求が受信された場合に、前記セル情報が特定する第２通信方式のシステムのセルを、第１通信方式のシステムの基地局装置を経由して第１通信方式のシステムのページング制御ノード装置へ通知するセル通知部と、
前記セル情報に基づいて第２通信方式のシステムの基地局装置との無線接続を確立する接続制御部と、
第２通信方式のシステムの基地局装置を経由して、前記ページング要求に対する応答を前記ページング制御ノード装置へ送信するページング応答部と、
を備えることを特徴とする移動局装置。
（付記２）
前記セル通知部は、ランダムアクセスチャネルを経由して第２通信方式のシステムのセルを送信することを特徴とする付記１に記載の移動局装置。
（付記３）
第２通信方式のシステムにおける回線交換通信が可能な状態になった後に、第１通信方式のシステムの基地局装置に前記移動局装置の登録を解除させるための信号を、第２通信方式のシステムの基地局装置を経由して第１通信方式のシステムの基地局装置に送信する登録解除要求部を備えることを特徴とする付記１又は２に記載の移動局装置。
（付記４）
第２通信方式のシステムのセルのセル情報を格納するセル情報格納部と、
前記セル情報格納部にセル情報が格納されているか否かを判定する判定部と、を備え、
前記セル通知部は、前記判定部の判定結果に応じて第２通信方式のシステムのセルを送信することを特徴とする付記１〜３のいずれか一項に記載の移動局装置。
（付記５）
回線交換通信に対応不能な第１通信方式のシステムのセルを形成する基地局装置であって、
前記セルで待受中の移動局装置を呼び出す回線交換通信のためのページング要求を、第１通信方式のシステムのページング制御ノード装置から受信し、前記移動局装置へ送信するページング要求処理部と、
前記ページング要求に応答して前記移動局装置から送信される、回線交換通信に対応可能な第２通信方式のシステムのセルを特定する応答信号を受信する応答信号受信部と、
前記応答信号が特定する第２通信方式のシステムのセルを前記ページング制御ノード装置に通知するセル通知部と、
を備えることを特徴とする基地局装置。
（付記６）
前記応答信号受信部が前記応答信号を受信した場合に、前記移動局装置との間の呼処理を停止する呼制御部を備えることを特徴とする付記５に記載の基地局装置。
（付記７）
前記基地局装置が形成するセルで待受中の前記移動局装置の登録を記憶する登録記憶部と、
第２通信方式のシステムを経由して前記移動局装置から送信される該移動局装置の登録を解除させるための信号を受信したことに応答して、前記登録記憶部に記憶した前記移動局装置の登録を解除する登録解除部と、
を備えることを特徴とする付記５又は６に記載の基地局装置。
（付記８）
回線交換通信に対応不能な第１通信方式のシステムのページング制御ノード装置及び基地局装置と、移動局装置とを備える通信システムであって、
前記基地局装置は、
第１通信方式のシステムのセルで待受中の前記移動局装置を呼び出す回線交換通信のためのページング要求を前記ページング制御ノード装置から受信し、前記移動局装置へ送信するページング要求処理部と、
前記ページング要求に応答して前記移動局装置から送信される、回線交換通信に対応可能な第２通信方式のシステムのセルを特定する応答信号を受信する応答信号受信部と、
前記応答信号が特定する第２通信方式のシステムのセルを前記ページング制御ノード装置に通知するセル通知部と、
を備え、
前記移動局装置は、
第１通信方式のシステムのセルにおける待受中に、第２通信方式のシステムのセルからそのセル情報を取得するセル情報取得部と、
第１通信方式のシステムの基地局装置から回線交換通信のためのページング要求を受信するページング要求受信部と、
前記ページング要求が受信された場合に、前記応答信号を前記基地局装置へ送信する応答信号送信部と、
前記セル情報に基づいて第２通信方式のシステムの基地局装置との無線接続を確立する接続制御部と、
第２通信方式のシステムの基地局装置を経由して、前記ページング要求に対する応答を前記ページング制御ノード装置へ送信するページング応答部と、
を備えることを特徴とする通信システム。
（付記９）
回線交換通信に対応不能な第１通信方式のシステムのセルで待受中の移動局装置が、回線交換通信に対応可能な第２通信方式のシステムのセルからそのセル情報を取得し、
第１通信方式のシステムの基地局装置から回線交換通信のためのページング要求を前記移動局装置で受信し、
前記ページング要求が受信された場合に、前記セル情報が特定する第２通信方式のシステムのセルを、前記移動局装置から第１通信方式のシステムの基地局装置を経由して第１通信方式のシステムのページング制御ノード装置へ通知し、
前記セル情報に基づいて前記移動局装置と第２通信方式のシステムの基地局装置との無線接続を確立し、
前記移動局装置から第２通信方式のシステムの基地局装置を経由して、前記ページング要求に対する応答を前記ページング制御ノード装置へ送信する、ことを特徴とする通信方法。
【符号の説明】
【０１０１】
１    通信システム
２    コアネットワーク
３    ＭＭＥ
４    フェムト基地局
８    基地局
９    移動局
２１    セル検出部
２２    報知情報取得部
２３    リスト格納部
３０    ページングメッセージ処理部
３１    種別判定部
３２    通信可能セル判定部
３３    第１応答信号処理部
３４    ページング応答処理部
３５    第２応答信号処理部
３６    ＰＳ呼制御部
３７    ＣＳ呼制御部
３８    通信状態指示信号処理部
６０    ページングメッセージ処理部
６１    第１応答信号処理部
６２    ＰＳ呼制御部
６３    第２応答信号処理部
６４    通信状態指示信号処理部
【図１】
2014090258.tif 000003
【図２】
2014090258.tif 000004
【図３】
2014090258.tif 000005
【図４】
2014090258.tif 000006
【図５】
2014090258.tif 000007
【図６】
2014090258.tif 000008
【図７】
2014090258.tif 000009
【図８】
2014090258.tif 000010
【図９】
2014090258.tif 000011
【図１０】
2014090258.tif 000012
【図１１】
2014090258.tif 000013
【図１２】
2014090258.tif 000014
【図１３】
2014090258.tif 000015
【図１４】
2014090258.tif 000016